(57)【特許請求の範囲】
【請求項１】
前面に開口した外箱内に収納体が収納され、外箱の前面に回転自在に扉が設けられ、扉の蝶番が外箱の側面部の上下両側にそれぞれ取り付けられており、扉を開いて収納体をリンク機構を介して回動することで外箱内から前下方に引き下ろし自在とした昇降収納装置であって、リンク機構は、一端部を外箱の側面部側に回転自在に軸支すると共に他端部を収納体の側面部に回転自在に軸支した前リンクと後リンクとよりなる平行リンクで構成され、前リンク及び後リンクの下端部に取り付けた軸が外箱の側面部にそれぞれ軸支され、前リンクの下端部の枢支部分は上記扉の下側の蝶番の取り付け部分の後端よりも後方に位置しており、後リンクの下端部に取り付けた軸に、収納体を外箱から前下方に回動して引き下ろす際に抵抗となる渦巻きバネが設けられると共に、後リンクには収納体を外箱から前下方に回動して引き下ろす際に抵抗となる別のダンパー装置が設けられ、上記後リンクの下端部の軸に２つの渦巻きバネが設けられ、一方の渦巻きバネの一端を後リンクの軸に係止させると共に他端を外箱側に固定することで後リンクの軸に対して常時バネ力を付与し、他方の渦巻きバネの一端を後リンクの軸に係止させると共に他端を収納体に対する渦巻きバネのバネ力を調整するバネ力調整装置を介して外箱側に接続し、上記バネ力調整装置は、一端部に渦巻きバネの端部に係止される係止凸部を有する回動アームと、回動アームの他端部を押圧して回動アームを回動させて係止凸部を渦巻きバネに係止させた状態と離脱させた状態とに切り替えるための押しボタンとを備え、押しボタンの先端が当たる回動アームの接触面を円弧面としたことを特徴とする昇降収納装置。
【請求項２】
渦巻きバネを外箱の側面部とリンク機構との間に配置された軸支ブロック内部に収納し、該軸支ブロックに前リンク及び後リンクの下端部の軸を軸支するための軸受部を設けたことを特徴とする請求項１記載の昇降収納装置。
【請求項３】
前リンクをへ字状に屈曲させ、収納体を最も引き下ろしたときに、へ字状に屈曲した角部の内隅部が外箱の底面側の先端に対向するようにしたことを特徴とする請求項１記載の昇降収納装置。
【請求項４】
外箱の側面部の内面に取付基板を取り付け、この取付基板の内面に渦巻きバネ等の機構部を覆うための機構カバーを取り付け、機構カバーに前リンクの下端部に取り付けられる軸を挿通するための筒部を一体に形成し、この筒部に挿通された軸の先端部を取付基板に軸支してなることを特徴とする請求項１記載の昇降収納装置。
【請求項５】
前リンクの略中間部における後リンクと対向する側に、収納体を最も前下方に引き降ろしたときの前リンクと後リンクとの隙間を確保するための凹部を形成したことを特徴とする請求項１又は請求項３記載の昇降収納装置。
【請求項６】
前リンクを後リンクの回転軌跡を含む平面から遠去かる方向に屈曲させたことを特徴とする請求項１記載の昇降収納装置。
【請求項７】
外箱の側面部の内面に取付基板を取り付け、取付基板の内面に渦巻きバネ等の機構部を覆うための機構カバーを配置し、機構カバーに係止爪を設けると共に、取付基板に係止爪と係合して機構カバーを取付基板に対して位置決めするための係合部を設けてなることを特徴とする請求項１記載の昇降収納装置。
【発明の詳細な説明】
【０００１】
【発明の属する技術分野】
本発明は、天袋のような高所に配設される外箱内に収納した収納体を昇降するための昇降収納装置に関するものである。
【０００２】
【従来の技術】
従来より、図３５〜図４０に示すように、前面に開口した外箱２内に収納体６が収納され、外箱２の前面に回転自在に扉３が設けられ、扉３の蝶番４が外箱２の側面部２ａの上下両側にそれぞれ取り付けられており、扉３を開いて収納体６をリンク機構５を介して回動することで外箱２内から前下方に引き下ろし自在とした昇降収納装置１が知られている。リンク機構５は一端部を外箱２の側面部２ａ側に回転自在に軸支すると共に他端部を収納体６の側面部２ａに回転自在に軸支した前リンク７と後リンク８とよりなる平行リンクで構成してあり、図３６〜図３８に示すように、前リンク７及び後リンク８の各上端部７ａ，８ａに設けた軸支板２３に収納体６を取り付けている。前リンク７の下端部７ｂの軸９には渦巻きバネ１１（図３５）が取り付けられ、後リンク８の下端部８ｂの軸にはオイルダンパー９０が取り付けられ、これら渦巻きバネ１１、オイルダンパー９０が収納体６を外箱２から前下方に回動して引き下ろす際に抵抗となるものである。
【０００３】
【発明が解決しようとする課題】
ところが、従来では、前リンク７の下端部７ｂに取り付けた軸９の周辺に渦巻きバネ１１やこれを収納する軸支ブロック１７等が設けられている。しかも、渦巻きバネ１１を収納する軸支ブロック１７が外箱２の側面部２ａの前端近くに位置しており、また軸支ブロック１７の容積が必然的に大きくなってしまい、そのために従来では、外箱２の側面部２ａに回転自在に設けられる扉３の下側の蝶番４の取り付け部分を軸支ブロック１７よりも上方に変更しなければならず、蝶番４の取り付けの自由度が小さいという問題があり、そのうえ、上側の蝶番４と下側の蝶番４との距離Ｄが狭まると扉３の取り付けの安定性が悪くなるという問題もある。さらに、外箱２の下部にシンク用照明器具１３が一体に組み込まれているタイプのものにあっては、照明器具１３の高さ分だけ前リンク７の下端部７ｂの軸９の高さが高くなるため、その分だけ下側の蝶番４の取り付け位置を更に高くしなければならない。また、外箱２の下部にシンク用照明器具１３を組み込んだものと照明器具１３を組み込まないものとでは、扉３の下側の蝶番４の高さ位置が変わり、蝶番４の取り付け位置の統一化を図ることができず、この結果、扉３の種類が増えてしまい、結果として生産性が悪くなるという問題もある。
【０００４】
なお、蝶番４と軸支ブロック１７との間に適度なクリアランスを得るために、例えば軸支ブロック１７を外箱２の後方に配置すると、リンク機構５の昇降ストロークが小さくなってしまい、昇降時に収納体６が外箱２に当たってしまうという問題がある。
【０００５】
本発明は、上記従来の課題に鑑みてなされたもので、その目的とするところは、渦巻きバネ等の２つのダンパー装置を備えた構造でありながら、外箱の側面部に取り付けられる扉の下側の蝶番の高さ位置を低くすることができ、扉の種類を少なくできると共に、外箱の下部に照明器具を取り付けたものと取り付けないものとの間で扉の種類の統一化を図ることができる昇降収納装置を提供するにあり、他の目的とするところは、収納体の重量に応じてバネ力を容易に調整できる昇降収納装置を提供するにあり、他の目的とするところは、収納体の昇降動作をスムーズにできるようにした昇降収納装置を提供するにあり、他の目的とするところは、前リンクと後リンク間での指詰めを簡単に防いで使用の安全性を確保できる昇降収納装置を提供するにあり、他の目的とするところは、渦巻きバネなどの機構部を覆うための機構カバーの薄型化、小型化を容易に図ることができると共に組み立て性が向上し、見栄えも良好な昇降収納装置を提供するにある。
【０００６】
【課題を解決するための手段】
上記課題を解決するために、本発明は、前面に開口した外箱２内に収納体が収納され、外箱２の前面に回転自在に扉３が設けられ、扉３の蝶番４が外箱２の側面部２ａの上下両側にそれぞれ取り付けられており、扉３を開いて収納体６をリンク機構５を介して回動することで外箱２内から前下方に引き下ろし自在とした昇降収納装置であって、リンク機構５は、一端部を外箱２の側面部２ａ側に回転自在に軸支すると共に他端部を収納体６の側面部２ａに回転自在に軸支した前リンク７と後リンク８とよりなる平行リンクで構成され、前リンク７及び後リンク８の下端部に取り付けた軸９，１０が外箱２の側面部２ａにそれぞれ軸支され、前リンク７の下端部の枢支部分９ａは上記扉３の下側の蝶番４の取り付け部分の後端４ａよりも後方に位置しており、後リンク８の下端部に取り付けた軸１０に、収納体６を外箱２から前下方に回動して引き下ろす際に抵抗となる渦巻きバネ１１が設けられると共に、後リンク８には収納体６を外箱２から前下方に回動して引き下ろす際に抵抗となる別のダンパー装置１２が設けられていることを特徴としており、このように構成することで、前リンク７の下端部に取り付けた軸９をフリーな状態で軸支することによって、渦巻きバネ１１等の２つのダンパー装置を備えた構造でありながら、外箱２の側面部２ａに回転自在に設けられる扉３の下側の蝶番４の取り付け部分を前リンク７の下端部の軸９の前方に位置させることができ、これに伴い外箱２の上下寸法を大きくすることなく、上側の蝶番４と下側の蝶番４との距離Ｄを広げることができ、扉３の取り付けの安定性が良くなると共に、蝶番４位置を統一化できるので、扉３の種類の削減を図ることができる。さらに外箱２の下部に照明器具１３を組み込んだ場合に、照明器具１３の高さ分だけ前リンク７の下端部の軸９の高さが高くなっても、扉３の下側の蝶番４を該軸９に干渉させることなく低い位置に取り付けることができるので、外箱２の下部に照明器具１３を組み込んだものと組み込まないものとの間で扉３の種類の統一化を図ることができる。
【０００７】
また上記収納体６に対する渦巻きバネ１１のバネ力を調整するためのバネ力調整装置１４を備えているので、収納体６に荷物を載せたときの重量が重いときには、バネ力を強めることにより、重い収納体６を軽く持ち上げて収納できるようになると共に収納体６を引き下ろすときにもゆっくりと静かに引き下ろすことができる。また、収納体６が例えば空のときはバネ力を弱めることにより、収納体６を引き下ろすときには強いバネ力がかからず、軽量時にも最下点まで容易に引き下ろすことができ、操作性が良くなる。
【０００８】
また上記後リンク８の下端部の軸１０に２つの渦巻きバネ１１，１５が設けられ、一方の渦巻きバネ１１の一端を後リンク８の軸１０に係止させると共に他端を外箱２側に固定することで後リンク８の軸１０に対して常時バネ力を付与し、他方の渦巻きバネ１５の一端を後リンク８の軸１０に係止させると共に他端を収納体６に対する渦巻きバネ１５のバネ力を調整するバネ力調整装置１４を介して外箱２側に接続し、上記バネ力調整装置１４は、一端部に渦巻きバネ１１の端部に係止される係止凸部５１を有する回動アーム３２と、回動アーム３２の他端部を押圧して回動アーム３２を回動させて係止凸部５１を渦巻きバネ１１に係止させた状態と離脱させた状態とに切り替えるための押しボタン３４とを備え、押しボタン３４の先端が当たる回動アーム３２の接触面を円弧面１１０としたので、押しボタン３４の先端と回動アーム３２の円弧面１１０とが、常に押しボタン３４の進退方向トに対して略垂直面Ｍ内で接触することとなり、従って、押しボタン３４の進退動作で回動アーム３２を回転変位させる場合において、押しボタン３４の先端が回動アーム３２の面上を滑ってしまったり、噛み込んでしまったりすることがなくなり、操作性が向上する。
【０００９】
また上記渦巻きバネ１１を外箱２の側面部２ａとリンク機構５との間に配置された軸支ブロック１７内部に収納し、該軸支ブロック１７に前リンク７及び後リンク８の下端部の軸９，１０を軸支するための軸受部１８，１９を設けるのが好ましく、この場合、渦巻きバネ１１を収納する軸支ブロック１７の外側面を台座として使用し、この台座に前リンク７と後リンク８の軸９，１０を支持する軸受部１８，１９を設けることによって、軸受部１８，１９をリンク７，８の枢支部分９ａ，１０ａに近づけることができ、従って、リンク７，８の軸９，１０に対して大きなモーメント荷重がかかるのを防止できる。
【００１０】
また上記前リンク７をへ字状に屈曲させ、収納体６を最も引き下ろしたときに、へ字状に屈曲した角部の内隅部が外箱２の底面側の先端に対向するようにするのが好ましく、この場合、収納体６を最も引き下ろしたときに前リンク７と後リンク８とが直線状である場合よりも、リンク７，８間に隙間Ｅを確保でき、前リンク７と後リンク８間で指を詰めるのを防止しながら、収納体６の引き下ろし位置を低くできるようになる。
【００１１】
また上記外箱２の側面部２ａの内面に取付基板２４を取り付け、この取付基板２４の内面に渦巻きバネ１１，１５等の機構部を覆うための機構カバー２５を取り付け、機構カバー２５に前リンク７の下端部７ａに取り付けられる軸９を挿通するための筒部７０を一体に形成し、この筒部７０に挿通された軸９の先端部を取付基板２４に軸支してなるのが好ましく、この場合、前リンク７の下端部７ａに取り付けられる軸９を機構カバー２５の筒部７０と取付基板２４との両方で支持できて、機構カバー２５の薄型化、小型化を容易に図ることができると共に組み立て性が向上し、また前リンク７の軸９は機構カバー２５の筒部７０に挿入されるので、見栄えも良くなる。
【００１２】
また上記前リンク７の略中間部における後リンク８と対向する側に、収納体６を最も前下方に引き降ろしたときの前リンク７と後リンク８との隙間Ｅを確保するための凹部７２を形成するのが好ましく、この場合、前リンク７と後リンク８との取り付け位置を変えることなく、凹部７２によって収納体６を最も前下方に引き降ろしたときの前リンク７と後リンク８との間の隙間Ｅを十分に確保できるようになる。
【００１３】
また上記前リンク７を後リンク８の回転軌跡を含む平面から遠去かる方向ホに屈曲させるのが好ましく、この場合、各７，８の取り付け位置を変えることなく、前リンク７の屈曲形状によって収納体６を最も前下方に引き降ろしたときの前リンク７と後リンク８との間の隙間Ｅを十分に確保できるようになる。
【００１４】
また上記外箱２の側面部２ａの内面に取付基板２４を取り付け、取付基板２４の内面に渦巻きバネ１１，１５等の機構部を覆うための機構カバー２５を配置し、機構カバー２５に係止爪７５を設けると共に、取付基板２４に係止爪７５と係合して機構カバー２５を取付基板２４に対して位置決めするための係合部７６を設けてなるのが好ましく、この場合、機構カバー２５を取付基板２４の内面に沿わせて取付基板２４に設けた係合部７６に機構カバー２５の係止爪７５を係合させるだけで、機構カバー２５が取付基板２４に対して位置決めされ、従って、機構カバー２５の取り付け位置の位置決め精度が高まり、機構カバー２５を取付基板２４を介して外箱２の側面部２ａの目標位置に容易にしかも正確に取り付けることができる。
【００１５】
【発明の実施の形態】
以下、本発明の実施の形態を説明する。
【００１６】
本例の昇降収納装置１は、図１〜図３に示すように、前面が開口した外箱２と、外箱２の側面部２ａに上下の蝶番４を介して回転自在に取り付けられた扉３と、外箱２内に収納される収納体６と、収納体６を外箱２に対して回転自在に軸支して収納体６を前下方に引き下ろし自在とするリンク機構５と、収納体６を外箱２から前下方に回動して引き下ろす際に抵抗となる渦巻きバネ１１と、ガススプリング２１等のダンパー装置１２とで主体が構成されている。
【００１７】
上記外箱２は天袋のようなもので、壁の上部や天井の下面部のような部屋の高所に取り付けられるものである。外箱２は前面が開口しており、該前面開口部に回転自在に扉３が設けられている。本例では図３に示すように、扉３の上側の蝶番４と下側の蝶番４とが外箱２の側面部２ａの前端部寄りの上下両側に取着されている。外箱２内には収納体６が配置されており、扉３を開いて収納体６をリンク機構５を介して回動することで外箱２内から前下方に引き下ろし自在となっている。
【００１８】
収納体６は、図４（ｂ）に示すように、対向する左右の側板２１間に、底部及び背部を有する板体２２を架設して取り付けたもので、前方と上方とが開口している。収納の側板２１の外面上部に、上記前リンク７及び後リンク８の各上端部に取り付けた軸支板２３が固着されている。
【００１９】
上記外箱２の側面部２ａの内面下部には取付基板２４が取り付けられている。この取付基板２４は、図５及び図６に示すように略三角板状に形成され、この取付基板２４の内面にリンク機構５及び軸支ブロック１７が取り付けられるユニット取付板（機構カバー）２５が固着されている。取付基板２４は機構カバー２５と外箱２の側面部２ａとの間に介在されて、収納体６を外箱２内に組み込む際に、収納体６が外箱２の側面部２ａの内面に当たって傷が付くのを防止する働きをする。本例の取付基板２４には絞り部２６が形成され、この絞り部２６にバーリング加工を施して孔部２７が形成されており、この孔部２７にて機構カバー２５と取付基板２４とがねじ固定されている。絞り部２６を設けることによって、取付基板２４の孔部２７と機構カバー２５の孔部２７とを容易に突き合わせることができ、ねじ具２８による固着作業が容易となる。なお取付基板２４の材料は、収納体６が当たっても容易に傷が付かない材料、例えばアルミニウムなどの金属材料が望ましい。もちろん、金属材料に限定されるものではない。
【００２０】
リンク機構５は、図１〜図５に示すように、前リンク７と後リンク８とよりなる平行リンクにより構成してある。前リンク７及び後リンク８の各上端部７ａ，８ａは軸支板２３に回転自在に軸支されており、この軸支板２３は収納体６の側板２１に対して固定されている。また、前リンク７及び後リンク８の下端部７ｂ，８ｂに取り付けられた各軸９，１０は、軸支ブロック１７に回転自在に軸支されており、軸支ブロック１７は外箱２の側面部２ａの内面にねじ具で固定された上記機構カバー２５に取り付けられている。本例では、前リンク７の下端部７ｂ側にはへ字状に屈曲したへ字状屈曲部７ｄが形成されており、収納体６を最も引き下ろしたときに、へ字状屈曲部７ｄの内隅部が外箱２の底面側の先端に対向するようにしてある。また後リンク８の下端部８ｂ側には上記前リンク７のへ字状屈曲部７ｄと同じ方向に向かってへ字状に屈曲したへ字状屈曲部８ｄが形成されている。これら屈曲部７ｄ，８ｄによって、収納体６を最も引き下ろしたときに前リンク７と後リンク８との間に隙間Ｅ（図２）が形成され、前リンク７と後リンク８間で指を詰めるのを防止できると共に、前リンク７と後リンク８とが直線状である場合よりも、収納体６の引き下ろし位置を低くできるようになっている。さらに前リンク７及び後リンク８は互いに平行な異なる垂直面内でそれぞれ回動するように横方向にずらして配置されていると共に、図７に示すように、収納体６を外箱２内から前下方に最も引き下ろした状態では、前リンク７或いは後リンク８が収納体６以外の部位に設けたストッパー（図示せず）に当たって、前リンク７の上端部７ａが後リンク８の下端部８ｂ（図３）よりも下方に位置した状態で保持できるように構成されている。
【００２１】
上記前リンク７の下端部７ｂに取り付けられた軸９には、従来のように渦巻きバネ等の機構は設けられておらず、軸支ブロック１７に対してフリーな状態で軸支されている。この前リンク７の下端部７ｂの枢支部分９ａは、図３に示すように、扉３の下側の蝶番４の取り付け部分の後端４ａよりも後方に位置しており、これにより前リンク７の下端部７ｂの枢支部分９ａによって扉３の下側の蝶番４の取り付け位置が高くなったり、外箱２の下部に照明器具が組み込まれている場合でも、扉３の下側の蝶番４の取り付け位置が高くなったりするのを防止できる構造となっている。
【００２２】
後リンク８の下端部８ｂに取り付けた軸１０には、図２に示すように、収納体６を外箱２から前下方に回動して引き下ろす際に抵抗となる２つの渦巻きバネ１１，１５が設けられている。ここでは後リンク８の軸１０をＣリングで抜け止めし、軸１０の先端側に渦巻きバネ１１，１５が設けられている。２つの渦巻きバネ１１，１５は後リンク８の軸１０の長さ方向（図２の紙面に対して垂直方向）に並べて配置されており、いずれも収納体６を外箱２内から前下方に引き下ろす際に抵抗となるようにバネ力を作用するものである。２つの渦巻きバネ１１，１５は外箱２の側面部２ａとリンク機構５との間に配置された軸支ブロック１７内に収納されていると共に、この軸支ブロック１７に前リンク７及び後リンク８の下端部７ｂ，８ｂの軸９，１０を軸支するための軸受部１８，１９（図５）がそれぞれ設けられている。図２に示す例では一方の渦巻きバネ１１の一端部が軸支ブロック１７内に設けたバネ係止部２８に係止されており、他端部が後リンク８の軸１０に対して固定されており、これにより一方の渦巻きバネ１１は後リンク８の軸１０に対して常時バネ力を付与している。これに対して、他方の渦巻きバネ１５の一端部は後リンク８の軸１０の先端部に設けた割り溝部３０に係止され、他端部はバネ力調整装置１４にて支持されている。このバネ力調整装置１４は、他方の渦巻きバネ１５の他端を外箱２に対してフリーな状態と外箱２に固定した状態とに切替えるための操作手段１６と、操作手段１６により回動するフック部３１付き回動アーム３２と、回動アーム３２のフック部３１に着脱自在に係止される係止手段３３とを備えている。
【００２３】
上記操作手段１６は、軸支ブロック１７の外部に配置された操作部（押しボタン）３４にロッド３５が取り付けられており、このロッド３５が軸支ブロック１７の孔部にスライド自在に挿入されていると共に、ロッド３５に装着した復帰バネ３６によって操作部３４は常に前方に向かってバネ付勢されている。また軸支ブロック１７内部には、ロッド３５によって回転する回動アーム３２と、回動アーム３２のフック部３１に対して着脱自在に係止されるラッチ部３７とがそれぞれ設けられている。図中の８０はラッチ取り付け部である。回動アーム３２は軸支ブロック１７に取り付けた回動軸３８を中心に回転自在とされていると共に、回動軸３８に設けたねじりバネ３９のバネ力によって回動アーム３２の下端部３２ｂがロッド３５の先端に向かって常にバネ付勢されている。回動アーム３２の下端部３２ｂは操作部３４のロッド３５に押されることでラッチ部３７に近づく方向に回転し、回動アーム３２の下端部３２ｂの背面に設けたフック部３１がラッチ部３７に着脱自在に係止するようになっている。
【００２４】
上記ラッチ部３１は、図８に示すように、筒形ケース４０内にスライド自在に収納されたスライダー４１の前端面に薄肉状のヒンジ部４２を介して一体に設けられている。スライダー４１は筒形ケース４０内に設けた圧縮コイルバネ４３によって筒形ケース４０の前面の開口部４４から突出する方向に向かって常にバネ付勢されている。本例では、スライダー４１とヒンジ部４２と逆Ｕ字状のラッチ部３７とが樹脂成形により一体成形されており、且つ、自然状態では図８（ａ）に示すように、ラッチ部３７の上面壁３７ａがスライダー４１の上面部に対して傾いた状態となるように成形されている。ここでは、操作部３４を押し込んでロッド３５の先端が回動アーム３２の下端部３２ｂをラッチ部３７側に矢印ハで示す方向に押したときに、回動アーム３２のフック部３１が図８（ａ）の矢印ニで示す方向に進入して略下向きの姿勢にあるラッチ部３７内に入り込んで後面壁３７ｂに当たり、これにより図８（ａ）の破線ロで示すように、ヒンジ部４２が撓んでラッチ部３７の上面壁３７ａがスライダー４１の上面部４１ａと略平行となり、この状態でスライダー４１が後方イに移動しはじめて、トーションバネ４５によりスライダー４１を後方位置で保持した状態（図８（ｂ）の状態）とその保持を解除してスライダー４１を前方に戻した状態（図８（ａ）の状態）とに切り替えることができるようになっている。これらトーションバネ４５とラッチ部３７とスライダー４１等によって係止手段３３が構成されている。
【００２５】
本例では、筒形ケース４０内のスライダー４１の側面にハート形カム溝４７が設けられており、筒形ケース４０の後壁面に取り付けられたトーションバネ４５の先端に設けられた移動体４６がハート形カム溝４７内に挿入されている。本例のハート形カム溝４７は、後側の係止溝部４８と後側のガイド溝部５０ａと前側の係止溝部４９と前側のガイド溝部５０とが連続形成されており、ガイド溝部５０，５０ａによってハート形カム溝４７はその両面で異形状となっている。前後のガイド溝部５０，５０ａはトーションバネ４５の移動体４６をハート形カム溝４７内に沿って一方向（本例では時計回り方向）に回転させるためのものであり、図８（ａ）のように移動体４６が後側の係止溝部４８に係止している状態（スライダー４１が前進位置）から、前記フック部３１にてスライダー４１が前方から押されると、移動体４６は後側のガイド溝部５０ａ内に入り込み、更に図８（ｂ）の矢印方向に向かってガイド溝部５０ａから前側の係止溝部４８へと移動する。このとき圧縮コイルバネ４３のバネ力によって移動体４６は前側の係止溝部４８に係止した状態で保持され、スライダー４１は前方に突出した位置で保持される。その後、再度スライダー４１が押されると、移動体４６は図８（ｃ）のように前側のガイド溝部５０内に入り込み、さらにこのガイド溝部５０から後側の係止溝部４９へと移動して、図８（ａ）の位置に戻る。このとき圧縮コイルバネ４３のバネ力によって移動体４６は後側の係止溝部４９に係止した状態で保持され、スライダー４１は後退位置で保持される。ここで、スライダー４１が後方位置で係止されているときには、前記のようにラッチ部３７がスライダー４１の上面部４１ａと平行に保持されるため、ラッチ部３７に対して回動アーム３２の下端部３２ｂに設けたフック部３１が係止された状態となり、スライダー４１が前方に突出した位置に保持されているときには、前記のようにラッチ部３７がスライダー４１の上面部４１ａに対して傾き、ラッチ部３７とフック部３１との係止が解除されるものである。
【００２６】
一方、回動アーム３２の上端部３２ａには、図１に示すように、片面がテーパー面５１ａとなった係止凸部５１が設けられており、この係止凸部５１が渦巻きバネ１１の他端部に屈曲形成されているく字状屈曲部５２に着脱自在となっている。ここでは、係止凸部５１がく字状屈曲部５２に対して押し付けられたとき（回動アーム３２の下端のフック部３１がラッチ部３７に係止されたとき）には、テーパー面５１ａがく字状屈曲部５２を上方に押し広げることで、係止凸部５１がく字状屈曲部５２内にはまり込み、従って、２つの渦巻きバネ１１，１５のバネ力が同時に働く。一方、係止凸部５１がく字状屈曲部５２から離れる方向に回動したとき（フック部３１とラッチ部３７との係止が解除されたとき）には、係止凸部５１によってく字状屈曲部５２が上方に押し広げられて、係止凸部５１がく字状屈曲部５２から離脱し、これにより渦巻きバネ１５はフリーな状態となり、１つの渦巻きバネ１１のバネ力のみが働くようになっている。
【００２７】
さらに、上記後リンク８の下端部８ｂには延長部８ｃが設けられている。この延長部８ｃと上記外箱２の側面部２ａに取り付けた取付基板２４との間には、収納体６を外箱２から前下方に回動して引き下ろす際に抵抗となる別のダンパー装置１２が設けられている。この別のダンパー装置１２は、例えばガススプリング２１で構成されている。ガススプリング２１の一端は後リンク８の延長部８ｃに回転自在に取り付けられており、ガススプリング２１の他端は軸受を介して取付基板２４に回転自在に取り付けられている。ここではガススプリング２１の他端と軸受は板金により一体化されている。ガススプリング２１は、外箱２内から前下方に引き下ろす際に抵抗となるようにバネ力を作用すると共に、収納体６の重量が重いときには、渦巻きバネ１１にかかる負担を軽減して、渦巻きバネ１１の寿命低下を防止する働きをもする。なおダンパー装置１２としては、ガススプリング２１に限らず、例えばオイルダンパー等であってもよい。
【００２８】
しかして、前リンク７の下端部７ｂに取り付けた軸９をフリーな状態で軸支したことによって、従来のように前リンク７の下端部７ｂの軸９に渦巻きバネ１１を取り付けた場合と異なり、渦巻きバネ１１を収納する軸支ブロック１７が外箱２の側面部２ａの前端近くに位置しなくなるため、外箱２の側面部２ａに回転自在に設けられる扉３の下側の蝶番４の取り付け部分を軸支ブロック１７の前方に位置させることができる。従って、扉３の下側の蝶番４を外箱２の側面部２ａの下端側に寄せて取り付けることが可能となるので、外箱２の上下寸法を大きくすることなく、上側の蝶番４と下側の蝶番４との距離Ｄを広げることができ、扉３の取り付けの安定性が良くなり、そのうえ下側の蝶番４の取り付け位置を変える必要がないので、扉３の種類の統一化を図ることができる。
【００２９】
また図１０（ａ）に示すように、外箱２の下部にシンク用の照明器具１３を組み込んだ場合において、照明器具１３の高さ分だけ前リンク７の下端部７ｂの軸９の高さが高くなるが、前述のように前リンク７の軸９には渦巻きバネ等の機構が設けられず、フリーとされているので、下側の蝶番４の取り付け高さを低くできる。つまり外箱２の下部にシンク用の照明器具１３を組み込んだものと、図１０（ｂ）のように組み込まないものとの間で、扉３の種類の統一化を図ることができる。
【００３０】
さらに、ガススプリング２１等からなるダンパー装置１２を、後リンク８の延長部８ｃに連結してあるので、ダンパー装置１２が後リンク８の下端部８ｂの軸１０に設けられた渦巻きバネ１１に当たることがなくなり、従って、後リンク８の下端部８ｂに対して渦巻きバネ１１とガススプリング２１等のダンパー装置１２の両方を取り付けることが可能となる。
【００３１】
また、上記前リンク７と後リンク８とをそれぞれ同じ方向にへ字状に屈曲させてあるので、収納体６を外箱２内から前下方に最も引き下ろしたときに、へ字状に屈曲させた部分によって前リンク７と後リンク８との間に所定の隙間Ｅを確保できるようになる。従って、収納体６を引き下ろすときに、前リンク７と後リンク８との間に不用意に手を当てて、指を詰める心配がなくなり、使用の安全性を確保しながら収納体６の引き下ろしを行うことができるようになる。そのうえ前リンク７及び後リンク８が直線状の場合と比較して、前リンク７と後リンク８の最大下降位置をへ字状の屈曲部によって更に下方に設定することが可能となるので、収納体６への収納物の出し入れが一層容易となる。
【００３２】
また、渦巻きバネ１１が収納されている軸支ブロック１７の外側面に、前リンク７及び後リンク８の下端部７ｂ，８ｂの軸９，１０を軸支する軸受部１８，１９が設けられているので、軸支ブロック１７の軸受部１８，１９を前リンク７と後リンク８の枢支部分９ａ，１０ａに接近させることができる。つまり、前リンク７と後リンク８の枢支部分９ａ，１０ａと軸受部１８，１９との間の距離が長いと、軸９，１０に対して大きなモーメント荷重がかかり、収納体６の回動動作に支障をきたすこととなる。そこで本例では、渦巻きバネ１１を収納する軸支ブロック１７の外側面を台座として使用し、この台座に前リンク７と後リンク８の軸９，１０を支持する軸受部１８，１９を設けることによって、軸受部１８，１９をリンク７，８の枢支部分９ａ，１０ａに近づけることができ、従って、リンク７，８の軸９，１０に対して大きなモーメント荷重がかかるのを防止でき、収納体６の昇降動作をスムーズに行うことができる。
【００３３】
次に、収納体６の重量が軽いときには、バネ力調整装置１４によってバネ力を弱めることができる。先ず操作部３４を押し込むと、ロッド３５が前進して回動アーム３２の下端部３２ｂに設けたフック部３１が下向き姿勢にあるラッチ部３７内に挿入され、ラッチ部３７の後面壁３７ｂを後方に押すことで、ラッチ部３７が図８（ａ）の破線ロで示すように変形した状態となり、スライダー４１が後方イに移動してトーションバネ４５により後退位置で保持される。これにより、回動アーム３２の上端部３２ａの係止凸部５１が渦巻きバネ１５のく字状屈曲部５２から外れて、渦巻きバネ１５がフリーな状態となり、渦巻きバネ１１のバネ力のみが収納体６に作用し、バネ力を弱めることができ、軽量時にも収納体６を最下点まで容易に引き下ろすことができる。逆に、収納体６の重量が重いときには、バネ力調整装置１４によってバネ力を強めることができる。操作部３４を再度押し込むと、ロッド３５が前進して回動アーム３２の下端部３２ｂに設けたフック部３１が下向き姿勢にあるラッチ部３７内に挿入され、ラッチ部３７の後面壁３７ｂを後方に押すことで、ラッチ部３７が再び図８（ａ）の破線ロで示すように変形した状態となり、スライダー４１が後方イに移動する。このとき移動体４６は前側の係止溝部４９からガイド溝部５０に導入される。従って、スライダー４１を前方から押すだけでトーションバネ４５の移動体４６を前側の係止溝部４９から後側の係止溝部４８へと移動でき、ラッチ部３７が下向き姿勢となって回動アーム３２のフック部３１が外れる。このとき、ねじりバネ３９のバネ力によって回動アーム３２の上端部３２ａの係止凸部５１が渦巻きバネ１５のく字状屈曲部５２に係止して、渦巻きバネ１１，１５の両方のバネ力が収納体６に作用するようになり、バネ力を強めることができる。
【００３４】
従って、収納体６の軽量時には、最下点まで収納体６を容易に引き下ろすことができ、重量荷重時にはバネ力調整装置１４の切換により荷重以下の力で引き上げ操作ができ、操作性がきわめて良くなる。またバネ力調整装置１４をリンク機構５と一体に構成でき、部品点数を削減できると共に、操作部３４の押し込み操作だけでバネ力を調整できるので、誤操作しても破損する心配がなく、そのうえバネ力調整装置１４の本体部分は軸支ブロック１７内に収納されているので外観も良好となる。
【００３５】
図９は他の実施形態を示している。本例では、１つの渦巻きバネ１１を設け、渦巻きバネ１１の一端を後リンク８の軸１０に係止させると共に他端をバネ力調整装置１４を介して外箱２側に接続した構造を示している。他の構成は図１と同様であり、異なる点だけを述べる。本例のバネ力調整装置１４は、軸支ブロック１７の外部に配置される操作部３４と、操作部３４に取り付けられて軸支ブロック１７の雌ネジ部１７ａを貫通して軸支ブロック１７内部に螺入される雄ネジ部６０ａを有する軸部６０と、軸部６０の先端に設けられて渦巻きバネ１１の他端部のく字状屈曲部５２に嵌合する嵌合部６１とを備えている。操作部６０を時計回り方向に回転させると、軸部６０の雄ネジ部６０ａが雌ネジ部１７ａにネジ込まれて前進して嵌合部６１が渦巻きバネ１１のく字状屈曲部５２を押圧することにより、渦巻きバネ１１が締め付けられて収納体６に作用するバネ力が大きくなり、操作部３４を逆回転させると、軸部６０が戻って渦巻きバネ１１のく字状屈曲部５２が戻り、渦巻きバネ１１が緩んで収納体６に作用するバネ力が小さくなり、渦巻きバネ１１のバネ力を容易に調整することができる。
【００３６】
図１１〜図１３は本発明の他の実施形態を示している。この実施形態では、外箱２の側面部２ａの内面に金属製の取付基板２４を取り付け、取付基板２４の内面に渦巻きバネ１１，１５等の機構部を覆うための機構カバー２５をネジ等で取り付け、機構カバー２５に前リンク７の下端部７ａに取り付けられる軸９を挿通するための筒部７０を一体に形成し、筒部７０に挿通された軸９の先端部を取付基板２４に軸支させてある。他の構成は図１と同様であり、以下異なる点について説明する。本例では、前リンク７の下端部７ａに回転自在に取り付けられる軸９は、機構カバー２５に設けた筒部７０内部に回転自在に挿入されており、軸９の一端９ａが取付基板２４にカシメ等によって固着一体化されている。この軸９には、ブッシュ８１を介して前リンク７の下端部が回転自在に嵌め込まれており、軸９の他端９ｂにはワッシャ８２を介してＥリング８３が嵌合されている。
【００３７】
ちなみに、従来では、図２９、図３０に示すように、左右の前リンク７を連結させる連結棒８４の先端に固定板９０を介して軸９を溶接等により固定し、この軸９を前リンク７の下端部の軸孔に通し、ブッシュ９１を介して機構カバー２５に設けた軸受孔に挿入しているが、このような場合は、前リンク７にかかる荷重が機構カバー２５に集中し、機構カバー２５を強度を確保するために機構カバー２５の板厚や形状等を大型化する必要がある。さらに機構カバー２５が大型化すると図３４のように、機構カバー２５と蝶番４との間に所定のクリアランスを確保できなくなり、蝶番４の取り付け位置の自由度が制限されるという問題もある。
【００３８】
これに対して本例では、図１１〜図１３のように渦巻きバネ等の機構部を覆うための機構カバー２５に、前リンク７の下端部７ａに取り付けられる軸９が通る筒部７０を一体に形成し、この筒部７０に挿入された前リンク７の軸９の端部９ａを取付基板２４にカシメ固着したので、前リンク７の下端部７ａに取り付けられる軸９を機構カバー２５の筒部７０と取付基板２４との両方で支持できるようになり、これに伴い前リンク７にかかる荷重を取付基板２４に分散させることができて、機構カバー２５の薄型化、小型化を容易に図ることができ、しかも、機構カバー２５の小型化によって図２８のように、機構カバー２５と蝶番４との間に所定のクリアランスを容易に確保できて、蝶番４の取り付け位置の自由度を高めることができる。そのうえ、前リンク７の軸９を取付基板２４に固着したことで、軸９による機構カバー２５の位置決め、さらにはダンパー装置の位置決めが容易にでき、昇降収納装置の組み立て性が向上するうえに、前リンク７の軸９は機構カバー２５の筒部７０に挿入されるので、見栄えが良くなり、機構カバー２５を薄肉化、小型化できることとあいまって、昇降収納装置の外観向上を図ることができるという利点がある。
【００３９】
図１４、図１５は更に他の実施形態を示している。この実施形態では、前リンク７の略中間部における後リンク８と対向する側に、収納体６を最も前下方に引き降ろしたときの前リンク７と後リンク８との間の隙間Ｅを確保するための凹部７２を形成してある。図中の１００はリンク機構のストッパー、１０１はダンパーカバーである。他の構成は図１と同様であり、以下異なる点だけを述べる。ちなみに図３１，図３２のように前リンク７と後リンク８とが共にストレート状の場合、収納体６を前下方に引き降ろしたときに前リンク７と後リンク８との隙間Ｅが徐々に狭くなり、収納体６を最も前下方に引き降ろしたときには隙間Ｅが最小となり、指を詰めるおそれがある。そこで、前リンク７と後リンク８との取り付け位置を代えて隙間Ｅを大きくしようとしても、蝶番４の取り付け位置によっては隙間Ｅを大きくできない場合もある。これに対して本例では、前リンク７に凹部７２を形成するという簡単な構造で、収納体６を最も前下方に引き降ろしたときの前リンク７と後リンク８との間の隙間Ｅを確保できるようになり、前リンク７と後リンク８との取り付け位置を変える必要もないので、蝶番４の取り付け位置の自由度を高めることができ、使用の安全性と使い勝手の良さの両方が得られるものである。また、前リンク７の略中間部に凹部７２を形成するだけでよいので、凹部７２を容易にしかも安価で構成できるという利点もある。
【００４０】
更に他の実施形態として、図１６、図１７に示すように、前リンク７を後リンク８の回転軌跡を含む垂直な平面Ｈから遠去かる方向ホに屈曲させるようにしてもよい。ここでは、前リンク７の略中央部から下端部に至る部分を横方向に向けて略Ｌ字状に折り曲げている。これにより、収納体６を最も前下方に引き降ろしたときに、前リンク７の折り曲げ部が後リンク８の斜め方向に位置して、前リンク７と後リンク８との間の隙間Ｅを、前リンク７の屈曲形状によって十分に確保できるようになり、従って上記図１４、図１５の例と同様、前リンク７と後リンク８との取り付け位置を変えずに、前リンク７と後リンク８の隙間Ｅを十分に確保でき、指を挟まれる危険性をなくして、使用の安全性を高めることができるものである。また、前リンク７を折り曲げるだけでよいので、容易にしかも安価で、前リンク７と後リンク８との間の隙間Ｅを確保できるものである。
【００４１】
図１８、図１９は更に他の実施形態を示しており、渦巻きバネ１１のバネ力を調整するバネ力調整装置１４は、一端部に渦巻きバネ１１の端部に係止される係止凸部５１を有する回動アーム３２と、回動アーム３２の他端部を押圧して回動アーム３２を回動させて係止凸部５１を渦巻きバネ１１に係止させた状態と離脱させた状態とに切り替えるための押しボタン３４とを備え、押しボタン３４の先端が当たる回動アーム３２の接触面を円弧面１１０としてある。図中の３１はフック部、３７はフック部３１に対して着脱自在に係止されるラッチ部である。他の構成は図１〜図８のバネ力調整装置と同様であり、以下異なる点だけを述べる。押しボタン３４に取り付けた棒状のロッド３５の先端で回動アーム３２を回転変位させる構造において、例えば図３３に示すように、押しボタン３４の先端が当たる回動アーム３２の接触面が平坦面７４である場合は、押しボタン３４のロッドの進退方向トと回動アーム３２の平坦面７４とが傾斜するようになり、このため、ロッド３５の先端が回動アーム３２の平坦面７４上を滑ってしまったり、噛み込んでしまったりする可能性があり、この場合、回動アーム３２のフック３１がラッチ部３７に引っ掛らなくなり、渦巻きバネ１１のバネ力を切り替えることができなくなる。これに対して本例では，図１８、図１９に示すように、押しボタン３４のロッド３５の先端が当たる回動アーム３２の接触面を円弧面１１０としてあるので、押しボタン３４のロッドの先端と回動アーム３２の円弧面１１０とが、常に、押しボタン３４の進退方向トに対して略垂直面Ｍ内で接触することとなり、従って、ロッド３５で回動アーム３２を回転変位させる場合において、ロッド３５が滑ってしまったり、噛み込んでしまったりするという問題をなくすことができ、操作性を向上させることができると共に、渦巻きバネ１１のバネ力調整を確実に行うことができ、信頼性の向上を図ることができ、そのうえ、回動アーム３２のロッド３５との接触面を円弧面１１０にするという簡単な構成で済み、コスト的にも有利である。
【００４２】
次に、昇降収納装置を現場で組み立てて施工する場合、従来では図２０、図２１に示すように、渦巻きバネ１１，１５等の機構部を覆うための機構カバー２５を外箱２の側面部２ａの目標位置に取り付けるにあたって、機構カバー２５に設けられたざぐり孔１２１から木ねじ１２０を挿入して外箱２の側面部２ａにねじ止めを行うようにしてる。このとき機構カバー２５が動いてしまい、目標とする位置に正確に取り付けることができなくなるおそれがある。
【００４３】
そこで、本例では、図２２〜図２７に示すように、外箱２の側面部２ａの内面に取付基板２４を取り付け、取付基板２４の内面に渦巻きバネ１１，１５等の機構部を覆うための機構カバー２５を配置してある。機構カバー２５の前端縁には係止爪７５が折り曲げ形成されており、取付基板２４の前端部には係止爪７５と係合して機構カバー２５を取付基板２４に対して位置決めするための係合部７６が切り起こしにより形成されている。取付基板２４を外箱２の側面部２ａにネジ止めした後で、機構カバー２５を取付基板２４にネジ止めするのであるが、このとき機構カバー２５を取付基板２４の内面に沿わせながら、後方から前方にスライドさせることで、取付基板２４に設けた係合部７６に機構カバー２５の係止爪７５が挿入されるようになり、機構カバー２５が取付基板２４に対して位置決めされて位置決めされる。従って、ネジ具１３０（図２３）を機構カバー２５から取付基板２４に螺合させる際に機構カバー２５が動かず、機構カバー２５を取付基板２４を介して外箱２の側面部２ａの目標位置に容易にしかも正確にネジ止めすることができ、作業性の向上を図ることができる。またこのとき、機構カバー２５が取付基板２４に位置決め保持されることで、機構カバー２５を手で押さえてネジ止めする必要もないので、ネジ止め作業がきわめて容易となる。また、取付基板２４と機構カバー２５とのネジ止め方法としては、取付基板２４の複数箇所に図２３に示すような絞り部２６を形成し、この絞り部２６にバーリング加工を施して孔部（図５、図６）を形成することで、この孔部にて機構カバー２５と取付基板２４とをねじ止めするようにしてもよい。この場合、取付基板２４に設けた係合部７６に機構カバー２５の係止爪７５を係止させたときに、機構カバー２５と取付基板２４のネジ孔が一致するようにしておけば、機構カバー２５と取付基板２４とのネジ孔を位置合わせする必要もなく、ねじ具２８による固着作業が一層容易となる。また絞り部２６により取付基板２４と機構カバー２５との間に所定の隙間を確保できるので、機構カバー２６が取付基板２４に擦れて傷がつくおそれもなくなる。
【００４４】
さらに本例では、図２５に示すように、取付基板２４の下部をＬ字状に折り曲げらており、この折り曲げ部２４ａを外箱２の底板２ｂ上に載置してある。これにより、取付基板２４に機構カバー２５を取り付ける際に、機構カバー２５を取付基板２４の折り曲げ部２４ａの上に乗せて前方にスライドさせることによって、外箱２の底板２ｂを傷つけることなく、機構カバー２５の係止爪７５を取付基板２４の係合部７６に係合させて、取り付け作業を楽に行うことができるという利点がある。
【００４５】
【発明の効果】
上記のように本発明のうち請求項１の発明は、前面に開口した外箱内に収納体が収納され、外箱の前面に回転自在に扉が設けられ、扉の蝶番が外箱の側面部の上下両側にそれぞれ取り付けられており、扉を開いて収納体をリンク機構を介して回動することで外箱内から前下方に引き下ろし自在とした昇降収納装置であって、リンク機構は、一端部を外箱の側面部側に回転自在に軸支すると共に他端部を収納体の側面部に回転自在に軸支した前リンクと後リンクとよりなる平行リンクで構成され、前リンク及び後リンクの下端部に取り付けた軸が外箱の側面部にそれぞれ軸支され、前リンクの下端部の枢支部分は上記扉の下側の蝶番の取り付け部分の後端よりも後方に位置しており、後リンクの下端部に取り付けた軸に、収納体を外箱から前下方に回動して引き下ろす際に抵抗となる渦巻きバネが設けられると共に、後リンクには収納体を外箱から前下方に回動して引き下ろす際に抵抗となる別のダンパー装置が設けられているので、前リンクの下端部に取り付けた軸をフリーな状態で軸支することによって、渦巻きバネ等の２つのダンパー装置を備えた構造でありながら、外箱の側面部に回転自在に設けられる扉の下側の蝶番の取り付け部分を前リンクの下端部に取り付けた軸の前方に位置させることができる。従って、扉の下側の蝶番を外箱の側面部の下端側に寄せて取り付けることが可能となるので、これに伴い外箱の上下寸法を大きくすることなく、上側の蝶番と下側の蝶番との距離を広げることができ、扉の取り付けの安定性が良くなり、しかも蝶番位置を統一できるので、扉の種類が増えることもない。さらに外箱の下部に照明器具を組み込んだ場合に、照明器具の高さ分だけ前リンクの下端部の軸の高さが高くなっても、該軸に干渉させることなく扉の下側の蝶番を低い位置に取り付けることができるので、外箱の下部に照明器具を組み込んだものと組み込まないものとの間で、外箱及び扉の統一化を図ることができる。
【００４６】
また上記後リンクの下端部の軸に２つの渦巻きバネが設けられ、一方の渦巻きバネの一端を後リンクの軸に係止させると共に他端を外箱側に固定することで後リンクの軸に対して常時バネ力を付与し、他方の渦巻きバネの一端を後リンクの軸に係止させると共に他端をバネ力調整装置を介して外箱側に接続しているので、収納体が軽量時には、バネ力を強めることにより、重い収納体を軽く持ち上げて収納できるようになると共に収納体を引き下ろすときにもゆっくりと静かに引き下ろすことができる。また、収納体が例えば空のときはバネ力を弱めることにより、収納体を引き下ろすときには強いバネ力がかからず、軽量時にも最下点まで容易に引き下ろすことができるので、操作性が良くなる。
【００４７】
さらに渦巻きバネのバネ力を調整するバネ力調整装置は、一端部に渦巻きバネの端部に係止される係止凸部を有する回動アームと、回動アームの他端部を押圧して回動アームを回動させて係止凸部を渦巻きバネに係止させた状態と離脱させた状態とに切り替えるための押しボタンとを備え、押しボタンの先端が当たる回動アームの接触面を円弧面としたので、押しボタンの先端と回動アームの円弧面とが、常に、押しボタンの進退方向トに対して略垂直面内で接触することとなり、従って、押しボタンの進退動作で回動アームを回転変位させる場合において、押しボタンの先端が回動アームの面上を滑ってしまったり、噛み込んでしまったりするという問題がなくなり、操作性を向上させることができて、渦巻きバネのバネ力調整を確実に行うことができ、バネ力調整装置の耐久性及び信頼性向上を図ることができ、そのうえ、回動アームのロッドとの接触面を円弧面にするという簡単に構成で済むという利点がある。
【００４８】
また請求項２記載の発明は、請求項１記載の効果に加えて、渦巻きバネを外箱の側面部とリンク機構との間に配置された軸支ブロック内部に収納し、該軸支ブロックに前リンク及び後リンクの下端部の軸を軸支するための軸受部を設けたので、軸支ブロックの軸受部を前リンクと後リンクの枢支部分に接近させることができ、従って、リンクの軸に対して大きなモーメント荷重がかかるのを防止でき、収納体の昇降動作をスムーズに行えるようになり、使用性を向上させることができる。
【００４９】
また請求項３記載の発明は、請求項１記載の効果に加えて、前リンクをへ字状に屈曲させ、収納体を最も引き下ろしたときに、へ字状に屈曲した角部の内隅部が外箱の底面側の先端に対向するようにしたので、収納体を最も引き下ろしたときに前リンクと後リンクとが直線状である場合よりも、リンク間に隙間を確保でき、リンク間で指を詰めるのを防止しながら、収納体の引き下ろし位置を低くできるものである。
【００５０】
また請求項４記載の発明は、請求項１記載の効果に加えて、外箱の側面部の内面に取付基板を取り付け、この取付基板の内面に渦巻きバネ等の機構部を覆うための機構カバーを取り付け、機構カバーに前リンクの下端部に取り付けられる軸を挿通するための筒部を一体に形成し、この筒部に挿通された軸の先端部を取付基板に軸支してなるので、前リンクの下端部に取り付けられる軸を機構カバーの筒部と取付基板との両方で支持できるようになり、これに伴い前リンクにかかる荷重を機構カバーと取付基板との両方で受け止めることができて、機構カバーの薄型化、小型化を容易に図ることができ、しかも、機構カバーの筒部に強度をもたせる必要がないので、安全性を同時に確保しながら、機構カバーの小型化が一層図れると共に、機構カバーと蝶番との間に所定のクリアランスを容易に確保できて、蝶番の取り付け位置の自由度を高めることができる。そのうえ、前リンクの軸を取付基板に固着したことで、軸による機構カバーの位置決め、さらにはダンパー装置の位置決め等が容易となり、昇降収納装置の組み立て性が向上し、また前リンクの軸は機構カバーの筒部に挿入されるので、見栄えが良くなり、機構カバーを薄肉化、小型化できることとあいまって、昇降収納装置の外観向上を図ることができるものである。
【００５１】
また請求項５記載の発明は、請求項１又は請求項３記載の効果に加えて、前リンクの略中間部における後リンクと対向する側に、収納体を最も前下方に引き降ろしたときの前リンクと後リンクとの隙間を確保するための凹部を形成したので、前リンクと後リンクとの取り付け位置を変えることなく、凹部によって収納体を最も前下方に引き降ろしたときの前リンクと後リンクとの間の隙間を十分に確保できるようになり、前リンクと後リンクとの配置を変える必要もないので、蝶番の取り付け位置の自由度を高めながら、前リンクと後リンクの隙間を十分に確保でき、指を挟まれる危険性をなくして、使用の安全性を高めることができると共に、凹部を形成するだけでよいので、容易にしかも安価で構成できるものである。
【００５２】
また請求項６記載の発明は、請求項１記載の効果に加えて、前リンクを後リンクの回転軌跡を含む平面から遠去かる方向に屈曲させたので、前リンクと後リンクとの取り付け位置を変えることなく、前リンクの屈曲形状によって収納体を最も前下方に引き降ろしたときの前リンクと後リンクとの間の隙間を十分に確保できるようになり、前リンクと後リンクとの配置を変える必要もないので、蝶番の取り付け位置の自由度を高めながら、前リンクと後リンクの隙間を十分に確保でき、指を挟まれる危険性をなくして、使用の安全性を高めることができるものである。また、前リンクを屈曲させるだけでよいので、容易にしかも安価で構成できるものである。
【００５３】
また請求項７記載の発明は、請求項１記載の効果に加えて、外箱の側面部の内面に取付基板を取り付け、取付基板の内面に渦巻きバネ等の機構部を覆うための機構カバーを配置し、機構カバーに係止爪を設けると共に、取付基板に係止爪と係合して機構カバーを取付基板に対して位置決めするための係合部を設けてなるので、機構カバーを取付基板の内面に沿わせて取付基板に設けた係合部に機構カバーの係止爪を係合させるだけで、機構カバーが取付基板に対して位置決めされ、従って、機構カバーの取り付け位置の位置決め精度が高まり、機構カバーを取付基板を介して外箱の側面部の目標位置に容易にしかも正確に取り付けることができ、作業性の向上と取り付けの信頼性向上とを図ることができる。しかも機構カバーを取付基板にネジ等で固着する際には係止爪と係合部とで機構カバーが取付基板に対して位置決めされているので、機構カバーを手で押さえてネジ止めを行う必要もなく、そのうえ、取付基板と機構カバーとのネジ孔の位置合わせも不要となるので、機構カバーの取り付け作業がきわめて容易となる。
【図面の簡単な説明】
【図１】本発明の実施形態の一例を示す側面図である。
【図２】図１の要部拡大図である。
【図３】同上のリンク機構を説明する側面図である。
【図４】（ａ）は収納体を収納しない状態の昇降収納装置の正面図、（ｂ）は収納体を収納した状態の昇降収納装置の正面図である。
【図５】同上の軸支ブロック付近の正面図である。
【図６】（ａ）は同上の取付基板の正面図、（ｂ）は側面図である。
【図７】同上の収納体を最も前下方に引き下ろした状態の説明図である。
【図８】（ａ）〜（ｃ）は同上の係止手段の動作説明図である。
【図９】他の実施形態の一部破断した側面図である。
【図１０】（ａ）は照明器具付き外箱の側面図、（ｂ）は照明器具のない外箱の側面図である。
【図１１】更に他の実施形態の分解側面図である。
【図１２】図１１の組み立て図である。
【図１３】図１２のＦ−Ｆ線断面図である。
【図１４】更に他の実施形態の側面図である。
【図１５】図１４の収納体を前下方に引き降ろした状態の側面図である。
【図１６】更に他の実施形態の正面図である。
【図１７】図１６の平面図である。
【図１８】更に他の実施形態を示す断面図である。
【図１９】図１８の押しボタンのロッドと回動アームとの接触部を説明する側面図である。
【図２０】更に他の実施形態の側面図である。
【図２１】図２０の正面図である。
【図２２】同上の機構カバーを取付基板に位置決めする場合の説明図である。
【図２３】図２２の機構カバーの取り付け部の説明図である。
【図２４】（ａ）（ｂ）は同上の係止爪の断面図である。
【図２５】（ａ）は同上の機構カバーを取付基板に取り付け前の状態の説明図、（ｂ）は取付基板の折り曲げ部の拡大断面図である。
【図２６】（ａ）は同上の機構カバーを取付基板に取り付けた状態の側面図、（ｂ）は（ａ）のＸ−Ｘ線断面図である。
【図２７】同上の機構カバーを取付基板に取り付けた状態の正面図である。
【図２８】同上の押しボタンと蝶番との位置関係を説明する側面図である。
【図２９】同上の前リンクの下端部に取り付けられる軸を軸支ブロックに軸支する場合の参考図である。
【図３０】図２９の分解図である。
【図３１】同上の前リンクと後リンクとの隙間を説明する参考図である。
【図３２】図３１の収納体を最も前下方に引き降ろした状態での前リンクと後リンクとの間の隙間を説明する参考図である。
【図３３】（ａ）は同上のバネ力調整装置における押しボタンのロッドと回動アームとの接触部を説明する参考図、（ｂ）は要部説明図である。
【図３４】同上の下側の蝶番の取り付け位置の一例を示す参考図である。
【図３５】従来の渦巻きバネを収納する軸支ブロックの説明図である。
【図３６】図３５の正面図である。
【図３７】図３５の平面図である。
【図３８】従来の収納体を説明する側面図である。
【図３９】従来の昇降収納装置の平面図である。
【図４０】従来の昇降収納装置の正面図である。
【符号の説明】
１  昇降収納装置
２  外箱
２ａ  側面部
３  扉
４  蝶番
５  リンク機構
６  収納体
７  前リンク
８  後リンク
９，１０  軸
９ａ，１０ａ  枢支部分
１１，１５  渦巻きバネ
１２  ダンパー装置
１４  バネ力調整装置
１７  軸支ブロック
１８，１９  軸受部
２４  取付基板
２５  機構カバー
３２  回動アーム
３４  押しボタン
５１  係止凸部
７０  筒部
７２  凹部
７５  係止爪
７６  係合部
１１０  円弧面
Ｅ  隙間
【図１】
0003613081.tif 000002
【図２】
0003613081.tif 000003
【図３】
0003613081.tif 000004
【図４】
0003613081.tif 000005
【図５】
0003613081.tif 000006
【図６】
0003613081.tif 000007
【図７】
0003613081.tif 000008
【図８】
0003613081.tif 000009
【図９】
0003613081.tif 000010
【図１０】
0003613081.tif 000011
【図１１】
0003613081.tif 000012
【図１２】
0003613081.tif 000013
【図１３】
0003613081.tif 000014
【図１４】
0003613081.tif 000015
【図１５】
0003613081.tif 000016
【図１６】
0003613081.tif 000017
【図１７】
0003613081.tif 000018
【図１８】
0003613081.tif 000019
【図１９】
0003613081.tif 000020
【図２０】
0003613081.tif 000021
【図２１】
0003613081.tif 000022
【図２２】
0003613081.tif 000023
【図２３】
0003613081.tif 000024
【図２４】
0003613081.tif 000025
【図２５】
0003613081.tif 000026
【図２６】
0003613081.tif 000027
【図２７】
0003613081.tif 000028
【図２８】
0003613081.tif 000029
【図２９】
0003613081.tif 000030
【図３０】
0003613081.tif 000031
【図３１】
0003613081.tif 000032
【図３２】
0003613081.tif 000033
【図３３】
0003613081.tif 000034
【図３４】
0003613081.tif 000035
【図３５】
0003613081.tif 000036
【図３６】
0003613081.tif 000037
【図３７】
0003613081.tif 000038
【図３８】
0003613081.tif 000039
【図３９】
0003613081.tif 000040
【図４０】
0003613081.tif 000041